(57)【特許請求の範囲】
【請求項１】
基体に根元部を固定した多数のパイルに油剤組成物を含浸させてダストを取着させる清掃用払拭体において、前記パイルは芯糸の周囲に花糸を多数本突出して形成されたモール糸からなり、前記芯糸は根元部から先端部の方向へ撚成されており、前記花糸は前記根元部から前記先端部の方向へ螺旋状に旋回しており、芯糸平均太さは1０００ｄ〜３０００ｄ（デニール）、花糸平均太さは２００ｄ〜１２００ｄ（デニール）であり、花糸密度として前記芯糸の長さ１０ｍｍ当たりに前記花糸が相互に間隔を空けて１５本より大きく４０本以下形成され、花糸長として前記芯糸から伸びる前記花糸の長さは５〜３０ｍｍであり、前記花糸及び前記芯糸自体に油剤組成物を含浸させることを特徴とするモール糸型清掃用払拭体。
【請求項２】
前記パイルは一本の前記モール糸から形成される請求項１に記載のモール糸型清掃用払拭体。
【請求項３】
前記パイルは二本以上の前記モール糸を組み合わせて構成される請求項１又は２に記載のモール糸型清掃用払拭体。
【請求項４】
前記モール糸はダブルモール糸を含む請求項１〜３のいずれかに記載のモール糸型清掃用払拭体。
【請求項５】
前記芯糸及び前記花糸の夫々は繊度が１ｄ以上の短繊維を紡績して得られた紡績糸である請求項１〜４のいずれかに記載のモール糸型清掃用払拭体。
【請求項６】
前記油剤組成物に、抗アレルゲン剤、抗カビ剤、抗菌剤、香料の一種以上を添加した請求項１〜５のいずれかに記載のモール糸型清掃用払拭体。
【請求項７】
請求項１〜６のいずれかに記載のモール糸型清掃用払拭体をハンドルを取着した払拭体把持部に装着させたことを特徴とするモール糸型清掃用具。
【請求項８】
前記ハンドルが主として両手で操作するハンドルであり、前記清掃用具が主として床用清掃用具である請求項７に記載のモール糸型清掃用具。
【請求項９】
前記ハンドルが主として片手操作できるハンドルであり、前記清掃用具が主としてハンディ清掃用具である請求項７に記載のモール糸型清掃用具。
【請求項１０】
請求項１〜６のいずれかに記載のモール糸型清掃用払拭体の製法であり、芯糸平均太さＤ（デニール）、花糸平均太さδ（デニール）、花糸密度ｎ（本／１０ｍｍ）及び花糸長ｈ（ｍｍ）からなる４種の芯糸・花糸パラメータを実験的に決定するために、第１段階では、与えた花糸密度と花糸長を固定して、芯糸平均太さＤ（デニール）と花糸平均太さδ（デニール）の有効範囲を決定し、第２段階では、Ｄとδの前記有効範囲から選択された芯糸平均太さＤ（デニール）と花糸平均太さδ（デニール）を固定して、花糸密度ｎと花糸長ｈの有効範囲を決定することを特徴とするモール糸型清掃用払拭体の製法。
【発明の詳細な説明】
【技術分野】
【０００１】
本発明は、床面や壁面を清掃するための清掃用具に関し、更に詳細には、ハウスダストを効率的に吸着除去する清掃用払拭体及び清掃用具に関する。
【背景技術】
【０００２】
従来から、家庭や職場の清掃用具として清掃用払拭体（清掃用モップとも云う）が広く利用されてきた。この様な清掃用払拭体はハウスダスト、即ち砂塵、人毛及びペット毛等の繊維状屑、ダニ由来成分、並びに食品屑等の塵埃の除去に適しており、近年、レンタル清掃用具等の普及により、その需要は店舗や家庭で増大している。特に、払拭体が払拭体把持部から取り外せるタイプの清掃用払拭体がよく利用されている。この清掃用具は、床面等に直接接触する払拭体と保持具から構成され、保持具は清掃用払拭体を装着する払拭体把持部と人が把握するハンドルから構成されている。人が両手でハンドルを把持する大型タイプの床用清掃用具と、片手でハンドルを把持する小型タイプのハンディ清掃用具が知られている。
【０００３】
一般に、床用清掃用具やハンディ清掃用具の払拭体として、基体に綿やナイロン等の繊維から成形されたパイルを基体表面に固定した払拭体が知られている。図１０は、特開平５−２７７０５４号公報（特許文献１）に開示された清掃用払拭体（所謂モップ）の断面図である。この清掃用払拭体は、基布１０２の周囲に多数のパイル１０４を縫目１０３により固定して形成されている。また、基布１０２は上下２枚の基布片の左右端縁をテープ状織布１０５で保護し、側方のパイル１０４はテープ状織布１０５に対して縫着して固定されている。パイル１０４は、綿やナイロン等の短繊維を紡績した単糸を複数本撚成し、端部をカットして得られたカットパイルと称されるもので、パイルに油剤組成物を含浸させて構成される。
【０００４】
この清掃用具の清掃メカニズムは、パイルが床面と接触状態で摩擦して、床面上のハウスダストをパイルに含浸された油剤組成物の中に吸着固定することである。また、短繊維から形成された紡績糸を使用する理由は、パイルの周面に無数の短繊維の繊維端部が突出し、この短繊維端部によりハウスダストが掻き取られる機能を狙ったものである。更に、カットパイルにしたのは、パイル端部のカット部から無数の繊維が突出し、ハウスダストの掻き取り効果を狙っている。しかし、短繊維端部が周面から突出すると云っても、短繊維は極めて細短く、大きなハウスダストに対しては掻き取り効果は低い。また、パイル端部のカット部と云っても一部だけであり、掻き取り効果が十分とは言えなかった。
【０００５】
そこで、特開２００８−１０４６００号公報（特許文献２）、特開２００９−１８５４０７号公報（特許文献３）及び特開２０１２−２４５９４号公報（特許文献４）に示される高吸水性高乾燥性払拭具が出現するに至った。これら３件の公開特許公報は、ほぼ同一の図面から構成されているので、特開２００８−１０４６００号公報（特許文献２）の図面を参照する。図１１は前記高吸水性高乾燥性払拭具Ａの正面図である。基布Ｓの上面には面ファスナー部材Ｂが配置され、図示されない払拭体把持部に係止される構成になっている。基布Ｓの下面には、多数のパイルＰが固定されて払拭部Ｗが構成されている。パイルＰの根元は前記基布Ｓの下面に固定され、パイルＰは芯糸Ｃの周囲に放射状に無数のフィラメントＦが密に突出し、しかも前記放射状フィラメントがパイルの長手方向に密に形成されている。また、パイルＰの先端部ＰａはフィラメントＦの先端が半球面を形成して構成されている。
【０００６】
芯糸Ｃとその周囲に突出した無数のフィラメントＦからなる糸とは一般にモール糸と称されており、フィラメントＦは花糸と呼ばれ、飾り糸の一種である。この従来例では、花糸として極めて細い０．０５〜０．８ｄ（デニール）の非吸水性フィラメントを密に且つ大量に使用してモール糸を構成し、このモール糸をループパイルに成形してパイルＰを構成している。従って、パイル先端部Ｐａが半球面に形成されることになる。この払拭具の花糸は非吸水性のフィラメントであるから水は吸収せず、パイルＰの周囲及び先端に存在する無数のフィラメントＦの間隙が毛管現象による高吸水性を示す。被清掃面を水洗いした後、この払拭具で非清掃面を拭き取ると、被清掃面から水を吸収して被清掃面を急速に乾燥させることができる。その後、払拭具の水を振り切って水を飛ばし、乾燥させると、繊維表面積が大きいから高速に乾き、高乾燥性を示す。
【先行技術文献】
【特許文献】
【０００７】
【特許文献１】特開平５−２７７０５４号公報
【特許文献２】特開２００８−１０４６００号公報
【特許文献３】特開２００９−１８５４０７号公報
【特許文献４】特開２０１２−２４５９４号公報
【発明の概要】
【発明が解決しようとする課題】
【０００８】
特許文献２に示される清掃用払拭体は、初めてモール糸をパイルに利用した点では、賞賛に値する。しかし、それは高吸水性高乾燥性払拭具、即ち吸水モップへの応用であり、吸水力を上げるために０．０５〜０．８ｄ（デニール）という極細繊維を花糸として使用したものである。吸水力を増大させるためには、芯糸の周囲に極細繊維を高密度に林設することが重要であり、芯糸の径方向には放射状に密に花糸を突出させ、しかも芯糸の繊維方向にも前記放射状花糸を密に配置するから、花糸先端の形状は棒状になり、しかも折り返した後撚成してパイルを形成するから、パイルの先端では花糸先端形状が半球形になる。確かに、木の根が多量の水を吸うように、無数の花糸の間隙には毛管現象により多量の水が貯留されるため高吸水性を示し、吸水後に水を振り切ると、花糸繊維が極細のため残留水が蒸発し易く高乾燥性を示す効果がある。
【０００９】
しかしながら、特許文献２の清掃用払拭体では、油剤組成物を含浸させることは困難である。特許文献２〜特許文献４には芯糸の平均太さは記載されていないが、花糸の平均太さは０．０５〜０．８ｄ（デニール）から選択されることが強く主張され、しかも花糸は非吸水性フィラメントであり、水だけでなく油剤組成物も含浸することはない。従って、油剤組成物を処理した場合を考えると、油剤組成物は水と同様に、花糸間の間隙に貯留されることになり、油剤が花糸内部に保持されることはないから、清掃時に油剤が被清掃面に転移する可能性がある。また、特許文献２〜４には芯糸の材質は明記されていないから、芯糸に油剤を含浸させることは不可能である。従って、特許文献２〜４のモール糸を利用した払拭具では、油剤組成物を含浸させることは不可能であり、油剤組成物を含浸させる場合には新たな発明が必要になることが明白である。
【００１０】
従って、本発明は、モール糸をパイルに利用する場合に、花糸間に油剤組成物を貯留するのではなく、花糸及び芯糸自体に油剤組成物を含浸させるモール糸を開発し、このモール糸をパイルに適用した清掃用払拭体を提供することを目的とする。同時に、この清掃用払拭体を利用した清掃用具を提供することを目的とする。
【課題を解決するための手段】
【００１１】
本発明は上記課題を解決するためになされたものであり、本発明の第１の形態は、基体に根元部を固定した多数のパイルに油剤組成物を含浸させてダストを取着させる清掃用払拭体において、前記パイルは芯糸の周囲に花糸を多数本突出して形成されたモール糸からなり、前記芯糸は根元部から先端部の方向へ撚成されており、前記花糸は前記根元部から前記先端部の方向へ螺旋状に旋回しているモール糸型清掃用払拭体である。
【００１２】
本発明の第２の形態は、前記芯糸は前記基体に接触する状態から自立する状態までの範囲の柔軟性を与える芯糸平均太さを有し、前記花糸は前記芯糸に接触する状態から自立する状態までの範囲の柔軟性を与える花糸平均太さを有し、前記芯糸の長さ１０ｍｍ当たりに前記花糸が相互に間隔を空けて３〜４０本形成され、前記芯糸から伸びる前記花糸の長さは２〜３０ｍｍであるモール糸型清掃用払拭体である。
【００１３】
本発明の第３の形態は、前記パイルは一本の前記モール糸から形成されるモール糸型清掃用払拭体である。
【００１４】
本発明の第４の形態は、前記パイルは二本以上の前記モール糸を組み合わせて構成されるモール糸型清掃用払拭体である。
【００１５】
本発明の第５の形態は、前記モール糸はダブルモール糸を含むモール糸型清掃用払拭体である。
【００１６】
本発明の第６の形態は、前記芯糸平均太さは５００ｄ〜４０００ｄ（デニール）、前記花糸平均太さは１００ｄ〜１２００ｄ（デニール）であるモール糸型清掃用払拭体である。
【００１７】
本発明の第７の形態は、前記芯糸及び前記花糸の夫々は繊度が１ｄ以上の短繊維を紡績して得られた紡績糸であるモール糸型清掃用払拭体である。
【００１８】
本発明の第８の形態は、前記油剤組成物に、抗アレルゲン剤、抗カビ剤、抗菌剤、香料の一種以上を添加したモール糸型清掃用払拭体である。
【００１９】
本発明の第９の形態は、第１〜第８形態のいずれかに記載のモール糸型清掃用払拭体をハンドルを取着した払拭体把持部に装着させたモール糸型清掃用具である。
【００２０】
本発明の第１０の形態は、前記ハンドルが主として両手で操作するハンドルであり、前記清掃用具が主として床用清掃用具であるモール糸型清掃用具である。
【００２１】
本発明の第１１の形態は、前記ハンドルが主として片手操作できるハンドルであり、前記清掃用具が主としてハンディ清掃用具であるモール糸型清掃用具である。
【発明の効果】
【００２２】
本発明の第１の形態によれば、基体に根元部を固定した多数のパイルに油剤組成物を含浸させてダストを取着させる清掃用払拭体において、前記パイルは芯糸の周囲に花糸を多数本突出して形成されたモール糸からなるモール糸型清掃用払拭体であるから、芯糸と花糸の両方に油剤組成物を含浸でき、しかも清掃時に多数本の花糸が被清掃面を摩擦しながらハウスダストを掻き出して花糸の間にある間隙でハウスダストを保持し、しかも含浸された油剤組成物でハウスダストを確実に吸着保持できるから、ハウスダストの掻き出しと保持を確実に行え、清掃効率の向上を図ることができる。
また、前記芯糸は根元部から先端部の方向へ撚成されており、前記花糸は前記根元部から前記先端部の方向へ螺旋状に旋回しているから、花糸は芯糸の全周に旋回しながら存在し、清掃時に床面に当接する芯糸の方向に拘わらず、花糸が床面に摩擦接触することができ、どの清掃方向に対しても効率的な清掃を行うことができる。
【００２３】
本発明の第２の形態によれば、前記芯糸は前記基体に接触する状態から自立する状態までの範囲の柔軟性を与える芯糸平均太さを有しているから、清掃時に芯糸が被清掃面に弾力性を持って接触でき、また前記花糸は前記芯糸に接触する状態から自立する状態までの範囲の柔軟性を与える花糸平均太さを有しているから、清掃時に花糸が被清掃面に弾力性を持って接触することができる。弾力性を有しているために、芯糸と花糸が被清掃面に摩擦接触でき、花糸のハウスダスト掻き出し効果が効果的に作用し、清掃効率の向上に寄与できる。
また、前記芯糸の長さ１０ｍｍ当たりに前記花糸が相互に間隔を空けて３〜４０本形成されているから、隣り合う花糸間の間隔が３．３〜０．２５ｍｍであり、ハウスダストの掻き出しには有効な本数であり、しかも芯糸から伸びる前記花糸の長さは２〜３０ｍｍであるから、被清掃面のハウスダストの掻き出しには効果的な長さであり、被清掃面の種類に応じた花糸長を選択することができる。
【００２４】
本発明の第３の形態によれば、前記パイルは一本の前記モール糸から形成されるモール糸型清掃用払拭体であるから、一本のモール糸が所定長さにカットされてパイルを構成している。モール糸は芯糸の周りに花糸を有しているから、芯糸と花糸の太さを選択して、カットパイルのモール糸型清掃用払拭体を提供することができる。
【００２５】
本発明の第４の形態によれば、前記パイルは二本以上の前記モール糸を組み合わせて構成されるモール糸型清掃用払拭体であるから、モール糸を折り畳んで撚成することによりループパイルにしたり、その先端をカットして二本を引き揃えたカットパイルを形成することができる。また、２本のモール糸を熱融着糸で結合してパイルを太くしたり、周囲を取り巻く花糸を適宜形状に変形することが可能になる。
【００２６】
本発明の第５の形態によれば、前記モール糸はダブルモール糸を含むモール糸型清掃用払拭体が提供できる。芯糸に組み込まれる花糸をモール糸にすると、ダブルモール糸が形成される。ダブルモール糸は花糸がモール糸であるから、通常の花糸よりもより複雑な形状の花糸になり、清掃時に前記複雑な形状の花糸がハウスダストを効果的に掻き出し、また花糸間の間隙形状も複雑化してハウスダストを確実に捕捉でき、油剤組成物でハウスダストを確実に吸着保持することが可能になる。
【００２７】
本発明の第６の形態によれば、前記芯糸平均太さは５００ｄ〜４０００ｄ（デニール）であるから、清掃用払拭体のパイルの太さは５００ｄ〜４０００ｄになる。これ位の太さになるとパイルに腰があり、強靭な柔軟性によって、清掃時に被清掃面からハウスダストを強力に掻き出すことができる。また、前記花糸平均太さは１００ｄ〜１２００ｄ（デニール）であるから、花糸も腰があり、その柔軟性によって花糸は被清掃面からハウスダストを効率的に掻き出し、繊維中の油剤組成物によってハウスダストを確実に吸着保持することが可能になる。
【００２８】
本発明の第７の形態によれば、前記芯糸及び前記花糸の夫々は繊度が１ｄ以上の短繊維を紡績して得られた紡績糸であるモール糸型清掃用払拭体を提供できる。前記芯糸及び前記花糸の夫々は紡績糸であるから、油剤組成物を繊維内部に吸収しながら含浸する特性を有する。また、芯糸と花糸の周面には無数の短繊維の端部が露出しており、芯糸や花糸によって掻き出されたハウスダストが前記の短繊維端部に引っ掛かり、ハウスダストを保持固定する作用をなす。ハウスダストの保持固定後は、繊維中の油剤組成物によって前記ハウスダストは確実に吸着保持されることになる。
【００２９】
本発明の第８の形態によれば、前記油剤組成物に、抗アレルゲン剤、抗カビ剤、抗菌剤、香料の一種以上を添加したから、ハウスダストを油剤組成物に吸着したとき、ハウスダスト中にあるアレルゲン、カビ、菌等を不活化し、また芳香を発することができる。
【００３０】
本発明の第９の形態によれば、本発明に係るモール糸型清掃用払拭体をハンドルを取着した払拭体把持部に装着させたモール糸型清掃用具を提供できる。従って、売り切り用清掃用具やレンタル用清掃用具として、家庭用・業務用に活用できる。
【００３１】
本発明の第１０の形態によれば、前記ハンドルが主として両手で操作するハンドルであり、前記清掃用具が主として床用清掃用具であるモール糸型清掃用具を提供できる。従って、売り切り用清掃用具やレンタル用清掃用具として、家庭用・業務用に活用できる。
【００３２】
本発明の第１１の形態によれば、前記ハンドルが主として片手操作できるハンドルであり、前記清掃用具が主としてハンディ清掃用具であるモール糸型清掃用具を提供できる。従って、売り切り用清掃用具やレンタル用清掃用具として、家庭用・業務用に活用できる。
【図面の簡単な説明】
【００３３】
【図１】図１は、本発明に係るモール糸型清掃用払拭体の実施形態の概略構成図である。
【図２】図２は、本発明に係るモール糸型清掃用払拭体に使用される１本のモール糸からなるパイルの概略説明図である。
【図３】図３は、図２に示されたモール糸を構成する花糸の螺旋状旋回を説明する螺旋状旋回図である。
【図４】図４は、本発明に係るモール糸型清掃用払拭体に使用されるモール糸からなるパイルの寸法形態説明図である。
【図５】図５は、本発明に係るモール糸型清掃用払拭体に使用される２本以上のモール糸を揃えて熱融着糸接合して構成されるパイルの概略説明図である。
【図６】図６は、本発明に係るモール糸型清掃用払拭体に使用される２本以上のモール糸を撚成して構成されるパイルの概略説明図である。
【図７】図７は、本発明に係るモール糸型清掃用払拭体に使用されるダブルモール糸からなるパイルの概略構成図である。
【図８】図８は、本発明に係るモール糸型清掃用具の実施形態の一例であり、主として両手操作のハンドルを備えた床用清掃用具の概略正面図である。
【図９】図９は、本発明に係るモール糸型清掃用具の実施形態の他例であり、主として片手操作のハンドルを備えたハンディ清掃用具の概略斜視図である。
【図１０】図１０は、従来例である特許文献１に示されたモップ（清掃用払拭体）の断面図である。
【図１１】図１１は、従来例である特許文献２に示された高吸水性高乾燥性払拭具（清掃用払拭体）の正面図である。
【発明を実施するための形態】
【００３４】
以下に、本発明に係るモール糸型清掃用払拭体及びモール糸型清掃用具の実施形態を図面に従って詳細に説明する。
【００３５】
図１は、本発明に係るモール糸型清掃用払拭体の実施形態の概略構成図である。モール糸型清掃用払拭体１は、基体２と、基体下面４に固定された多数のパイル１０から構成されている。パイル１０の根元部１２は基体下面４に固定され、その先端部１４はカットパイルになっており、先端部１４を連ねた面が前記払拭体１の清掃用パイル面に相当する。パイル１０は、芯糸１８の周りに花糸２０を有した１本のモール糸１６から形成されている。芯糸１８は撚成されており、芯糸１８、１８の間に挿通された多数の花糸２０は、根元部１２から先端部１４に至るまで螺旋状に旋回して構成されている。
【００３６】
図２は、本発明に係るモール糸型清掃用払拭体に使用される１本のモール糸からなるパイルの概略説明図である。（２Ａ）は、２本の芯糸の間に多数の花糸を挟んだ状態の固定前のモール糸の概略図である。（２Ｂ）は、２本の芯糸を熱融着糸と一緒に撚成して加熱し、花糸を螺旋状旋回させた状態の概略図である。まず、（２Ａ）に示されるように、モール糸１６は、根元部１２から先端部１４に至る２本の芯糸１８、１８の間に、直交状に多数の花糸２０が挟まれて形成されており、同時に芯糸１８、１８間には平行に熱融着糸が配置されている。この状態で、芯糸１８、１８を矢印ａ方向に撚成してゆき、所定温度で熱融着糸を融着固定すると、（２Ｂ）に示されたモール糸１６が形成される。（２Ｂ）では、モール糸１６がそのままパイル１０として使用されている。このパイル１０は、芯糸１８の周囲に花糸２０が配置されているが、花糸２０は根元部１２から先端部１４に至るまで螺旋状に旋回し、螺旋状旋回部２２が形成されている。１本の花糸２０は芯糸１８の左右に同長だけ突出しているが、この花糸が次第に旋回しながら芯糸方向に旋回配置されている。それを横から見ると、図示するような正弦曲線に見える訳である。
【００３７】
図３は、図２に示されたモール糸を構成する花糸の螺旋状旋回を説明する螺旋状旋回図である。芯糸１８に直交するように多数の花糸２０・・が所定間隔に並んでいると仮定する。花糸２０を図のように矢印で表記したとき、その先端を花糸先端２０ｃとし、その後端を花糸後端２０ｄとする。芯糸１８を矢印ａ方向に撚成すると、下方向に花糸２０は次第に捩れる。花糸１本に対し１個の楕円を描くと、花糸先端２０ｃは図示の如く次第に回転する。花糸先端２０ｃを連ねた実線３２及び花糸後端２０ｄを連ねた破線３４はいずれも螺旋状に旋回していることが分かる。この螺旋状旋回の実線３２と破線３４を横から見ると、図２の（２Ｂ）に示す正弦曲線になる訳である。
【００３８】
図４は、本発明に係るモール糸型清掃用払拭体に使用されるモール糸からなるパイルの寸法形態説明図である。芯糸１８の周囲には螺旋状旋回した花糸２０が根元部１２から先端部１４に至るまで形成されている。正弦曲線に見える領域が螺旋状旋回部２２である。正弦曲線の最長部が花糸長ｈを与え、芯糸の部分長Ｈは１０ｍｍ長である花糸平均太さδ及び芯糸平均太さＤが夫々図示されている。本発明で好適な範囲は、ｈ＝５〜３０ｍｍ、δ＝１００ｄ〜１２００ｄ（デニール）、Ｄ＝５００ｄ〜４０００ｄ（デニール）である。花糸密度ｎは１０ｍｍ長Ｈ当たりの花糸本数で示され、好適な範囲はｎ＝３〜４０本である。図では、ｎ＝１５（本／１０ｍｍ）である。
【００３９】
図５は、本発明に係るモール糸型清掃用払拭体に使用される２本以上のモール糸を揃えて熱融着糸接合して構成されるパイルの概略説明図である。図に示されるパイル１０は、２本のモール糸１６ａ、１６ｂが熱融着糸により一体化されたものである。モール糸１６ａでは、芯糸１８ａの周囲に花糸２０ａが螺旋状旋回部２２ａを形成しており、同様にモール糸１６ｂでは、芯糸１８ｂの周囲に花糸２０ｂが螺旋状旋回部２２ｂを形成している。２本のモール糸１６ａ、１６ｂを一体化する場合には、螺旋状旋回部２２ａと螺旋状旋回部２２ｂが相互に打ち消し合わない位置関係で接合すれば、パイル１０の周面にある花糸の本数は略２倍にまで増大させることが可能になる。従って、清掃時における花糸によるハウスダストの吸着効率を格段に向上させることが可能になった。
【００４０】
図６は、本発明に係るモール糸型清掃用払拭体に使用される２本以上のモール糸を撚成して構成されるパイルの概略説明図である。図６は図５の変形例を示しているものである。図に示されるパイル１０は、２本のモール糸１６ａ、１６ｂを撚成して一体化されたものである。一本のモール糸自体は撚成されているから、２本のモール糸を揃えるだけで図６のように自撚する傾向にあることは云うまでもない。モール糸１６ａでは、芯糸１８ａの周囲に花糸２０ａが螺旋状旋回部２２ａを形成しており、同様にモール糸１６ｂでは、芯糸１８ｂの周囲に花糸２０ｂが螺旋状旋回部２２ｂを形成している。２本のモール糸１６ａ、１６ｂを撚成一体化する場合には、螺旋状旋回部２２ａと螺旋状旋回部２２ｂが相互に打ち消し合わない位置関係で一体化すれば、パイル１０の周面にある花糸の本数は略２倍にまで増大させることが可能になる。従って、清掃時における花糸によるハウスダストの吸着効率を格段に向上させることが可能になる。
【００４１】
図７は、本発明に係るモール糸型清掃用払拭体に使用されるダブルモール糸からなるパイルの概略構成図である。パイル１０はダブルモール糸３６から形成されている。ダブルモール糸３６では、芯糸３８の周囲に配置される花糸４０としてモール糸１６が使用される。モール糸１６は、図示するように、芯糸１８の周りに花糸２０を配置したものである。基体２には、パイル１０の根元部１２が固定され、先端部１４が自由端となっている。このようなダブルモール糸をパイル１０として使用した場合には、花糸４０が極めて複雑化し、芯糸３８の周りに多数の繊維片が突出し、清掃時に被清掃面からハウスダストを掻き出し、効率的に清掃を行うことができる。
【００４２】
図８は、本発明に係るモール糸型清掃用具の実施形態の一例であり、主として両手操作のハンドルを備えた床用清掃用具の概略正面図である。このモール糸型清掃用具５４は、両手操作のハンドル５０をジョイント部５３を介して払拭体把持部５２に連結して構成されている。他方、モール糸型清掃用払拭体１は、両端に袋状部３、３を形成した基体２の下面に本発明に係る多数のパイル１０を固定したものである。払拭体把持部５２の左右端を前記袋状部３、３に挿入固定すれば、モール糸型清掃用具５４が完成される。パイル１０には多数の花糸が存在しているから、ハウスダストの掻き出し効果や油剤組成物による吸着効果が極めて優れている。
【００４３】
図９は、本発明に係るモール糸型清掃用具の実施形態の他例であり、主として片手操作のハンドルを備えたハンディ清掃用具の概略斜視図である。このモール糸型清掃用具５４は、片手操作のハンドル５０をロック部５１を介して単なる板状部である払拭体把持部（図示せず）に連接して構成されている。他方、モール糸型清掃用払拭体１は、上面に袋状部３を形成した基体２の下面に本発明に係る多数のパイル１０を固定したものである。払拭体把持部を前記袋状部３に挿入してロック部５１で固定すれば、モール糸型清掃用具５４が完成される。パイル１０には多数の花糸が存在しているから、ハウスダストの掻き出し効果や油剤組成物による吸着効果が極めて優れている。
【００４４】
[実施例１〜６４：芯糸・花糸パラメータの検証]
以下では、各種の芯糸１８と花糸２０を用いて、図１に示すモール糸型清掃用払拭体１を作成し、芯糸平均太さＤ（デニール）、花糸平均太さδ（デニール）、花糸密度ｎ（本／１０ｍｍ）及び花糸長ｈ（ｍｍ）からなる４種の芯糸・花糸パラメータを実験的に決定した。４種の芯糸・花糸パラメータを同時的に決定するのは困難があるから、２段階に分ける。第１段階では、花糸密度ｎ＝１５（本／１０ｍｍ）と花糸長ｈ＝１０ｍｍを固定して、芯糸平均太さＤ（デニール）と花糸平均太さδ（デニール）の有効範囲を決定した。第２段階では、Ｄとδの前記有効範囲から選択された芯糸平均太さＤ＝２０００ｄ（デニール）と花糸平均太さδ＝３００ｄ（デニール）を固定して、花糸密度ｎと花糸長ｈの有効範囲を決定した。以下に詳細を説明する。
【００４５】
[第１段階：芯糸平均太さＤと花糸平均太さδの有効範囲決定]
第１段階では、表１に示される実施例１〜３０の試作実験を行った。ここでは、花糸密度ｎ＝１５（本／１０ｍｍ）と花糸長ｈ＝１０ｍｍを固定して、芯糸平均太さＤ（デニール）と花糸平均太さδ（デニール）の有効範囲を決定した。芯糸平均太さＤは５００〜４０００ｄ（デニール）の５ランクに分け、各ランク毎に花糸平均太さδを表１のように分配して試作を行った。基本的には、花糸平均太さδは芯糸平均太さＤより小さく設定している。試作したモール糸型清掃用払拭体１の判断基準として、芯糸の自立性、花糸の形態性、パイル製造の容易性を選んだ。花糸の形態性は、払拭体全体としての美観のみならず、機能的形態であるかどうかを重視した。結果は◎（優）、○（良）、△（可）、×（不可）の４段階で示す。そして、３基準の総合判断を示した。その結果、総合特性として、５００≦Ｄ≦４０００、１００≦δ≦１２００という結果が得られた。
【００４６】
【表１】
0006034038.tif 000002
【００４７】
[第２段階：花糸密度ｎと花糸長ｈの有効範囲決定]
第２段階では、表２に示される実施例３１〜６６の試作実験を行った。第１段階で得られたＤとδの範囲から、平均的なＤ＝２０００ｄ（デニール）及びδ＝３００ｄ（デニール）を選んで固定し、花糸密度ｎと花糸長ｈを種々に変えて試作実験を行った。花糸密度ｎ＝１、３、１０、２０、３０、４０の６ランク、花糸長ｈ（ｍｍ）＝１、５、１０、２０、３０、４０の６段階に分けて試作実験をした。試作したモール糸型清掃用払拭体１の判断基準として、モップ（払拭体）の形態性とダスト捕集性を選んだ。モップの形態性は、払拭体全体としての美観のみならず、機能的形態であるかどうかを重視した。結果は◎（優）、○（良）、△（可）、×（不可）の４段階で示す。そして、２基準の総合判断を示した。その結果、総合特性として、３≦ｎ≦４０、５≦ｈ≦３０という結果が得られた。また、表２の中でダスト捕集性を基準として導入したから、結果として得られた４種の範囲、即ち、５００≦Ｄ≦４０００、１００≦δ≦１２００及び３≦ｎ≦４０、５≦ｈ≦３０が有効であることが実証された。
【００４８】
【表２】
0006034038.tif 000003
【００４９】
以上説明したように、油剤組成物を含浸させるモップ用のパイルとしてモール糸を利用するのは、本発明者等が初めてである。しかも、モップとしての４条件、即ち、芯糸平均太さＤ（デニール）、花糸平均太さδ（デニール）、花糸密度ｎ（本／１０ｍｍ）及び花糸長ｈ（ｍｍ）からなる４種の芯糸・花糸パラメータに対し、５００≦Ｄ≦４０００、１００≦δ≦１２００及び３≦ｎ≦４０、５≦ｈ≦３０がパイルとして有効であることを発見するに至った。この４条件が明確になったので、今後のモップ製作が極めて円滑に進むことができる。
【産業上の利用可能性】
【００５０】
本発明は、モール糸をパイルに利用する場合に、花糸及び芯糸自体に油剤組成物を含浸させるモール糸を開発し、このモール糸をパイルに適用した清掃用払拭体を提供することに成功した。また、この清掃用払拭体を利用した清掃用具を提供することに成功したものである。従って、本発明によるモール糸型清掃用払拭体及びモール糸型清掃用具は、家庭用に利用されるだけでなく、広く産業一般に利用することができる。
【符号の説明】
【００５１】
１        モール糸型清掃用払拭体
２        基体
３        袋状部
４        基体下面
５        ロック部
１０        パイル
１２        根元部
１４        先端部
１６        モール糸
１６ａ      モール糸
１６ｂ      モール糸
１８        芯糸
１８ａ      芯糸
１８ｂ      芯糸
２０        花糸
２０ａ      花糸
２０ｂ      花糸
２０ｃ      花糸先端
２０ｄ      花糸後端
２２        螺旋状旋回部
２２ａ      螺旋状旋回部
２２ｂ      螺旋状旋回部
３０        楕円
３２        実線
３４        破線
３６        ダブルモール糸
３８        芯糸
４０        花糸
５２        払拭体把持部
５３        ジョイント部
５４        モール糸型清掃用具
１０２      基布
１０３      縫目
１０４      パイル
１０５      テープ状織布
１０６      袋状空間
Ａ        高吸水性高乾燥性払拭具
Ｂ        面ファスナー部材
Ｃ        芯糸
Ｆ        フィラメント
Ｐ        パイル
Ｐａ      先端部
Ｓ        基布
Ｗ        払拭部
【図１】
0006034038.tif 000004
【図２】
0006034038.tif 000005
【図３】
0006034038.tif 000006
【図４】
0006034038.tif 000007
【図５】
0006034038.tif 000008
【図６】
0006034038.tif 000009
【図７】
0006034038.tif 000010
【図８】
0006034038.tif 000011
【図９】
0006034038.tif 000012
【図１０】
0006034038.tif 000013
【図１１】
0006034038.tif 000014